(57)【要約】【課題】着用容易性、シルエット形状保持性、通常の着物のような外観性、着用後の収納容易性に優れた洋服様再生着物セットを提供する。【解決手段】型紙を使用して予め用意した和装着物を立体裁断分離した上衣と下衣を備え、前記上衣は、衿の裏面に襦袢衿を着脱可能に係止する着脱手段を設けてあり、後ろ衿ぐりに衣紋引き布を取り付けてあり、背中部にシワ寄りを防ぎまたは戻すためのダーツ処理を施し、かつ脇タックを設けてあり、ウエスト部に左上前身頃と右下前身頃の２つの部分を間違えずに装着できるようにするための１周巻で係止可能な伸縮性の係止手段を設けてあり、前記下衣は、ウエスト側の穿き口部に伸縮性を付与するゴムを有するとともに、後ろファスナーの開閉により着脱可能に構成する。【選択図】図３
2019183357.tif 000002
【特許請求の範囲】
【請求項１】
型紙を使用して予め用意した和装着物を立体裁断分離した上衣と下衣を備え、前記上衣は、衿の内側に襦袢衿を着脱可能に係止する着脱手段を設けてあり、後ろ衿に衣紋抜きを取り付けてあり、背中部にシワ寄りを防ぎまたは戻すためのダーツ処理を施し、かつ脇タックを設けてあり、ウエスト部に左上前身頃と右下前身頃の２つの部分を間違えずに装着できるようにするための１周巻で係止可能な伸縮性の係止手段を設けてあり、前記下衣は、ウエスト側の穿き口部に伸縮性を付与するゴムを有するとともに、後ろファスナーの開閉により着脱可能に構成してあることを特徴とする洋服様再生着物セット。
【請求項２】
枕、枕紐、ゴムベルト、あんこバック、及びお太鼓をステッチ止めした帯から構成されるお太鼓帯セットを更に含む請求項１に記載の洋服様再生着物セット。
【発明の詳細な説明】
【技術分野】
【０００１】  本発明は洋服様再生着物セットに関する、より詳しくは、既存の和装着物を利用して仕立て直した洋服様再生着物セットに関する。
【背景技術】
【０００２】  従来、和装着物を上半身部と下半身部に分離して、それぞれを着用して通常の着物のように見せる着物セットは公知である（例えば、特許文献１〜１０参照）。このような着物セットは二部式（ツーピース）の洋服様であり、一般的な通常の着物とちがい洋服に近く着用し易い。
【先行技術文献】
【特許文献】
【０００３】
【特許文献１】実開平１−９４４０８号公報
【特許文献２】実開平２−１４３１１号公報
【特許文献３】実開平２−８７０１０号公報
【特許文献４】実開平４−１３００６号公報
【特許文献５】特開平８−３８０２号公報
【特許文献６】特開平１１−２４７００７号公報
【特許文献７】特開平２００３−４１４０３号公報
【特許文献８】特開平２００４−１３７６０８号公報
【特許文献９】実用新案登録第３１１５５４７号公報
【特許文献１０】特開平２０１３−１４８７０号公報
【発明の概要】
【発明が解決しようとする課題】
【０００４】  上述したように二部式の着物セットとしては、多種多様な構成のものが提案されているが、着用容易性、シルエット形状保持性（着くずれ防止性）、通常の着物のような外観性、着用後の収納容易性などの観点から一層の改良が求められている。
【課題を解決するための手段】
【０００５】  本発明者は、日常的に使用されている、または長年保管された状態にある既存の着物を再利用して仕立て直した二部式の着物セットの改良について鋭意検討を重ねた結果、上衣および下衣それぞれに特定の構成を採用することにより、前記課題を解決できることを見出し、本発明を完成するに至った。【０００６】  すなわち、本発明によれば、型紙を使用して予め用意した和装着物を立体裁断分離した上衣と下衣を備え、前記上衣は、衿の内側に襦袢衿を着脱可能に係止する着脱手段を設けてあり、後ろ衿に衣紋抜きを取り付けてあり、背中部にシワ寄りを防ぎまたは戻すためのダーツ処理を施し、かつ脇タックを設けてあり、ウエスト部に左上前身頃と右下前身頃の２つの部分を間違えずに装着できるようにするための１周巻で係止可能な伸縮性の係止手段を設けてあり、前記下衣は、ウエスト側の穿き口部に伸縮性を付与するゴムを有するとともに、後ろファスナーの開閉により着脱可能に構成してあることを特徴とする洋服様再生着物セットが提供される。【０００７】  本発明の洋服様再生着物セットは、枕、枕紐、ゴムベルト、あんこバック、及びお太鼓をステッチ止めした帯から構成されるお太鼓帯セットを更に含むことが好ましい。
【発明の効果】
【０００８】  本発明の洋服様再生着物セットは、上衣のウエスト部に左上前身頃と右下前身頃の２つの部分を間違えずに装着できるようにするための１周巻で係止可能な伸縮性の係止手段を設けてあること、および、下衣のウエスト側の穿き口部に伸縮性を付与するゴムを有するとともに、後ろファスナーの開閉により着脱可能に構成してあることにより、上衣および下衣ともに着用が極めて容易である。【０００９】  本発明の洋服様再生着物セットは、上衣の後ろ衿ぐりに衣紋抜きを取り付けてあり、背中部にシワ寄りを防ぎまたは戻すためのダーツ処理を施し、かつ脇タックを設けてあることにより、シルエット形状保持性に優れる。また、枕、枕紐、ゴムベルト、あんこバック、及びお太鼓をステッチ止めした帯から構成されるお太鼓帯セットを更に含むので、通常の着物に匹敵するような優れた外観性（着物姿）を呈する。【００１０】  本発明の洋服様再生着物セットは、上衣と下衣に分離されているので、着用後に折り畳んで洋服ダンス等に簡単に収納できるという効果を奏する。また、本発明の洋服様再生着物セットは、型紙を使用して予め用意した和装着物を立体裁断分離して、経済的有利に作製できるという利点もある。
【図面の簡単な説明】
【００１１】
【図１】本発明の一実施例を示す上衣の前面図（図Ａ）及び脱着した状態の襦袢衿（図Ｂ）。なお、図Ａは左前身頃を開いた状態を示している。
【図２】本発明の一実施例を示す上衣の背面図
【図３】本発明の一実施例を示す下衣の前面図（図Ｃ）及び背面図（図Ｄ）
【図４】本発明の着物セット（上衣および下衣の前面）の全体説明図
【図５】本発明の一実施例を示すお太鼓帯セットの全体説明図（図Ｅ）及び部分説明図（図Ｆ）
【図６】本発明の一実施例を示すお太鼓帯セットの全体説明図（図Ｇ）及び取り外した状態の帯板（図Ｈ）
【発明を実施するための形態】
【００１２】  以下に本発明の実施形態について、図面を参照して詳細に説明する。なお、本発明は本実施形態に限定されるものではない。
【００１３】（上衣）
本発明の洋服様再生着物セット（以下「着物セット」と略すことがある。）の上衣は、型紙を使用して予め用意した和装着物を立体裁断分離して形成される上半身側の部分を用いて作製する。その作製方法は特に限定されず、和洋裁の分野において通常行われている方法に準じて行うことができる。予め用意する和装着物の種類、サイズ、入手方法なども特に限定されない。
【００１４】  和装着物を立体裁断分離する部位は、本発明の着物セットを着用した場合に、通常の和装着物のように違和感なく見える範囲であれば特に限定されない。また、裁断後の切れ端処理は公知の方法により行うことができる。
【００１５】  図１（Ａ）、図１（Ｂ）および／または図２に示すように、上衣１の衿の内側（着用者の首側）に襦袢衿２を着脱可能に係止する着脱手段としての襦袢用釦２２ａを設けてある。また、襦袢衿２には襦袢衿用釦ホール２２を設けてある。このような着脱手段の種類や形状は特に限定されず、釦と釦ホールの組み合わせの他に、オープンファスナー、面ファスナー、スナップ釦などを用いることができる。
【００１６】  上衣１の衿の内側および襦袢衿２に前記着脱手段を設ける部位は特に限定されない。襦袢衿２の交差部には重なり止めスナップ２３を設けることができる。これにより上衣１を着用する際に、襦袢衿２全体の形状保持性が良好になる。襦袢衿２は半襟と称して市販に供されている通常の着物の付属品を用いて作製することができる。
【００１７】  図１（Ａ）および／または図２に示すように、上衣１の後ろ衿５ａに衣紋抜き５を取り付けてある。後ろ衿５ａに衣紋抜き５を取り付け位置は特に限定されないが、通常、後ろ衿ぐり５ａの下端部近傍に取り付けられる。衣紋抜き５の形状や寸法、取り付け方法は特に限定されない。
【００１８】  上衣の背中部には、シワ寄りを防ぎまたは戻すためのダーツ処理を施してあり、かつ脇タックを設けてある。すなわち、図２に示すように、上衣（背面）６の背中部丈方向中心線７およびウエスト切り替え線７ａにダーツ処理を施してある。ここで、ダーツ処理とは布の内側を縫いあわせて体に沿うようにしている部分をいう。このダーツ処理に加えて、背中部の脇部丈方向に脇タック８が設けられている。脇タック８の丈方向長さは特に限定されない。また、上衣の丈方向の下端部には、通常の着物のお端折りに相当する、お端折り風裾９を形成することができる。
【００１９】  上衣のウエスト部に左上前身頃と右下前身頃の２つの部分を間違えずに装着できるようにするための１周巻で係止可能な伸縮性の係止手段を設ける。より具体的には、図１（Ａ）および図２に示すように、着用者から見て、合わせ衿の右下前部に一端を縫い付けてあるゴムベルト３を、ゴムベルト左みやつ口４を通して背中側へ１周巻し、ゴムベルト３の他端に設けてあるゴムベルト長さ調整具３ｂを介して、合わせ衿の左上前部に設けてあるゴムベルトフック３ａに着脱自在に係止できるように構成してある。着用者の体型等に応じて、ゴムベルト長さ調整具３ｂにより、ゴムベルト３の長さを適宜調整することができる。
【００２０】（下衣）
図３（Ｃ）および／または図３（Ｄ）に示すように、本発明の着物セットの下衣１０の全体形状は巻スカート状であり、巻の左脇奥部は左脇中縫い止め２４により中縫いされている。また裾から上側、丈方向の中間部近傍２５までは中縫いされず、スリット開きが形成されている。
【００２１】  下衣１０のウエスト側の穿き口部に伸縮性を付与するゴム１１を有するとともに、後ろファスナー２６の開閉により着脱可能に構成してある。ここで「後ろファスナー」とは、着用者の背中側の腰部近傍に設けたファスナーを意味する。ウエスト側の穿き口には、ウエスト引き紐１３を設けることができる。
【００２２】（上衣および下衣）
図４に上衣１および下衣１０を組み合わせて着用した状態の全体説明図を示す。本発明の着物セットは、既存の着物に匹敵する外観性（着物姿）を呈することができる。なお、図４には、後述するお太鼓帯セットは図示されていない。
【００２３】（お太鼓帯セット）
図５（Ｅ）、図５（Ｆ）、図６（Ｇ）および／または図６（Ｈ）に示すように、本発明の着物セットは、枕１５、枕紐１５ａ、ゴムベルト１６、あんこバック２７、及びお太鼓をステッチ止め２０した帯１７から構成されるお太鼓帯セット１４を更に含むことが好ましい。なお、枕１５は円筒状に縫製した枕紐１５ａの内部に挿入し、一体化して使用することが好ましい。お太鼓帯セット１４のお太鼓状部は、既存の帯を使用し、切らずにお太鼓状に形成してあるので、ステッチ止め２０を解けば元の帯にもどすことができる。
【００２４】  着用者が前述した上衣および下衣を着用した後に、お太鼓帯セット１４を背中にあてがい、着用者の前面側にゴムベルト１６を巻き回して、ゴムベルトフック１６ａとゴムベルト長さ調節具１６ｂを介して係止する。更に枕紐１５ａの両端部近傍を結び止めて、お太鼓セット１４を位置ずれすることなく着用できるように構成してある。
【００２５】  お太鼓帯セット１４のお太鼓状部の内部には、お太鼓形状をふっくらと形作る為のあんこバック２７を収納する。あんこバック２７にはファスナー２７ａが設けられている。帯１７を着用者の体に巻きつけ、帯板２１を帯たれ１９の間に挟み込み、帯たれ１９の裏面に付いている結び紐１８と帯１７に付いている結び紐１８とを後ろで交差して着用者の前面側で結び止める。
【産業上の利用可能性】
【００２６】  本発明の着物セットは洋服様であり、簡単に着用することができる。例えば、高齢者や体の不自由な方などに極めて有用である。
【符号の説明】
【００２７】１      上衣（前面）
２      襦袢衿
３      ゴムベルト
３ａ    ゴムベルトフック
３ｂ    ゴムベルト長さ調節具
４      ゴムベルト通し用みやつ口
５      衣紋抜き
５ａ    後ろ衿
６      上衣（背面）
７      背中部丈方向中心線のダーツ処理
７ａ    ウエスト切り替え線のダーツ処理
８      脇タック
９      お端折り風裾
１０    下衣
１１    ゴム
１２    左上前裾つぼまり
１３    ウエスト引き紐
１４    お太鼓帯セット
１５    枕
１５ａ  枕紐
１６    ゴムベルト
１６ａ  ゴムベルトフック
１６ｂ  ゴムベルト長さ調節具
１７    帯
１８    結び紐
１９    帯たれ
２０    ステッチ止め
２１    帯板
２２    襦袢衿用ボタンホール
２２ａ  襦袢衿用釦
２３    襦袢衿重なり止めスナップ
２４    左脇中縫い止め
２５    スリット開き部上端
２６    ファスナー
２６ａ  ファスナー付け止まり
２７    あんこバック
２７ａ  ファスナー
【図１】
2019183357.tif 000003
【図２】
2019183357.tif 000004
【図３】
2019183357.tif 000005
【図４】
2019183357.tif 000006
【図５】
2019183357.tif 000007
【図６】
2019183357.tif 000008